(57)【要約】【課題】縦置き等された場合でも、引き出された衛生用紙がカートン内部に落ち込むことを効果的に防止することが可能な衛生用紙収納用のカートンを提供する。【解決手段】上面、底面、一対の側面、及び一対の妻面を有する形状に折り曲げられた箱状であり、衛生用紙の取出口を形成するための取出口形成用切込線が形成されたカートン本体と、取出口をカートン本体の内側から被覆するように配置され、衛生用紙を取り出すためのスリットが形成されたウインドウフィルムとを備え、取出口形成用切込線は、その少なくとも１つが、取出口の外周形状と一致する環状に形成され、その環状の切込線が取出口形成面の一方の妻面側に偏った位置に配置されるとともに、環状の切込線の一部が取出口の中央に向かって陥入するように形成され、その陥入した部分により、取出口中央に突出するフラップが形成されるように構成した衛生用紙収納用カートン。【選択図】図１
2007297079.tif 000002
【特許請求の範囲】
【請求項１】
上面、底面、一対の側面、及び一対の妻面を有する形状に折り曲げられ、これらの面によって区画された、衛生用紙を収納し得る内部空間が形成された略直方体の箱状をなすとともに、前記衛生用紙の取出口を形成するための取出口形成用切込線が形成されたカートン本体と、
前記取出口を前記カートン本体の内側から被覆するように配置され、前記衛生用紙を取り出すためのスリットが形成されたウインドウフィルムと、を備えた衛生用紙収納用カートンであって、
前記取出口形成用切込線は、その少なくとも１つが、前記取出口の外周形状と一致する環状に形成され、その環状の切込線がカートンの取出口形成面における一方の妻面側に偏った位置に配置されるとともに、前記環状の切込線の一部が前記取出口の中央に向かって陥入するように形成され、その陥入した部分（陥入部分）によって、前記取出口の中央に向かって突出するフラップが形成されるように構成した衛生用紙収納用カートン。
【請求項２】
前記陥入部分が、前記スリットの形成方向に向かって陥入するように形成されている請求項１に記載の衛生用紙収納用カートン。
【請求項３】
前記取出口の中央に向かって陥入を始める２つの起点を結ぶように形成される折曲線と前記陥入部分とにより包囲された部分によって前記フラップが形成されるように構成されている請求項１又は２に記載の衛生用紙収納用カートン。
【請求項４】
前記陥入部分は、一方の前記妻面から他方の前記妻面に向かって陥入するように形成されている請求項１〜３のいずれか一項に記載の衛生用紙収納用カートン。
【請求項５】
前記環状の切込線が、前記取出口形成面上に２つ形成されている請求項１〜４のいずれか一項に記載の衛生用紙収納用カートン。
【請求項６】
前記フラップの面積が、前記取出口の面積の１０〜８０面積％である請求項１〜５のいずれか一項に記載の衛生用紙収納用カートン。
【発明の詳細な説明】
【技術分野】
【０００１】
本発明は衛生用紙収納用カートンに関し、更に詳しくは、取出口に突出し、引き出された衛生用紙を係り止めることにより、衛生用紙の落ち込みを防止することが可能なフラップを形成した衛生用紙収納用カートンに関する。
【背景技術】
【０００２】
一般に、家庭やオフィス等で広く使われているティシュペーパーは、概ね直方体の箱（以下、「カートン」ともいう）の内部空間に収納された形で市販されている。使用者は、ティシュペーパーを使用するに際し、箱の一面（通常は箱の上面）に設けられている所定形状のミシン目（取出口形成用切込線）を切り離すことによって、箱に細長い取出口を形成することができる。
【０００３】
このような箱としては、例えば、予め、取出口を被覆するポリエチレンフィルム等のウインドウフィルムが箱の内側から貼着され、このウインドウフィルムの中央部に直線状のスリットが形成された箱が提案されている（例えば、特許文献１参照）。使用者は、ウインドウフィルムのスリットを通して、内部空間に収納されたティシュペーパーを外部へ引き出して使用することができる。また、ウインドウフィルムの分別廃棄の手間を少なくするため、ウインドウフィルムを使用しない箱、いわゆる「フィルムレスカートン」も提案されている（例えば、特許文献２〜４）。
【０００４】
上記箱に収納されるティシュペーパーは、通常、２枚で１組とされており、各１組が継続して箱の内部から取出せるように、いわゆるポップアップ方式で交互に折り重ねられて収納されている。このように、交互に折り重ねると、ティシュペーパーの１組がスリットから引き出されたときに、次の１組が箱の内部からスリットに保持される位置まで引き出される。例えば、ウインドウフィルムを有する箱の場合には、引き出されたティシュペーパーは、ウインドウフィルムのスリットとティシュペーパーとの摩擦力によって、ポップアップした所定位置に保持され、箱の内部に落ち込むことが防止される。また、ティシュペーパーは、ウインドウフィルムによって、外部の塵や異物から保護されている。
【０００５】
なお、このような箱は、ティシュペーパーに限らず、ティシュペーパーを含む衛生用紙（ペーパータオル（キッチンペーパーなど）、トイレットペーパー（ロールを除く）、ワッティング（紙綿）などの使い捨て紙の総称）の収納用の箱として広く用いられている。
【０００６】
ところで、上記箱は、常に取出口を上にして置いて使用するとは限らず、例えば、箱の側面を下にして横長状に置いたり（横置き）されることにより、取出口が横を向いた状態で使用する場合もある。このような場合には、例えば、ティシュペーパーを速やかに引き出すことが困難になるという問題があった。
【０００７】
上記の問題を解決するため、箱の取出口を、取出口が形成される面の中央ではなく偏った位置に配置したものが知られている。例えば、本発明者は、取出口が形成される面の中央から側面の一方側又は妻面の一方側に偏った位置に、取出口を形成するための取出口形成用切込線を配設した箱を提案している（例えば、特許文献５）。
【０００８】
【特許文献１】実公昭４１−６４６４号公報
【特許文献２】特開平９−１５０８７１号公報
【特許文献３】特開２００４−２６２４９０号公報
【特許文献４】特開２００５−２２５５６２号公報
【特許文献５】実用新案登録第３１１６０９８号公報
【発明の開示】
【発明が解決しようとする課題】
【０００９】
特許文献５に記載の箱は、箱の置き場所を選ばないという点に利点がある。即ち、上下面のいずれかの中心から偏った位置にある取出口から衛生用紙を取り出すことができるため、箱の側面を下にして横長状に置いたり（横置き）、また箱をスタンドのように縦長状に置いたり（縦置き）することができる。また、箱の上面の空きスペースに小物を置いても、ティシュペーパーを速やかに取り出すことができるという利点もある。更に、従来の衛生用紙入りカートンと較べて、取出口の位置が異なり、斬新な印象を与えるので、消費者の購買意欲が高められるという利点もある。しかしながら、特許文献５に記載の箱は、横置き、縦置き等された場合に、引き出されたティシュペーパーが箱内部に落ち込んでしまうことがあるという点において改良の余地があった。このように、ティシュペーパーが箱内部に落ち込んでしまうと、指を箱内部に入れてティシュペーパーを探り当てた後に、再び引き出さなければならず、使用者は煩雑な作業を強いられるという点において改良の余地があった。
【００１０】
本発明は、このような従来技術の有する課題に鑑みてなされたものであり、横置き、縦置き等がされた場合であっても、引き出された衛生用紙がカートン内部に落ち込むことを効果的に防止することが可能な衛生用紙収納用のカートンを提供するものである。
【課題を解決するための手段】
【００１１】
本発明者は上記課題を解決するために鋭意検討した結果、取出口に突出し、引き出された衛生用紙を係り止めることにより、衛生用紙の落ち込みを防止することが可能なフラップを形成したことによって、上記課題を解決することが可能であることを見出し、本発明を完成するに至った。即ち、本発明によれば、以下に示す衛生用紙収納用カートンが提供される。
【００１２】
［１］  上面、底面、一対の側面、及び一対の妻面を有する形状に折り曲げられ、これらの面によって区画された、衛生用紙を収納し得る内部空間が形成された略直方体の箱状をなすとともに、前記衛生用紙の取出口を形成するための取出口形成用切込線が形成されたカートン本体と、前記取出口を前記カートン本体の内側から被覆するように配置され、前記衛生用紙を取り出すためのスリットが形成されたウインドウフィルムと、を備えた衛生用紙収納用カートンであって、前記取出口形成用切込線は、その少なくとも１つが、前記取出口の外周形状と一致する環状に形成され、その環状の切込線がカートンの取出口形成面における一方の妻面側に偏った位置に配置されるとともに、前記環状の切込線の一部が前記取出口の中央に向かって陥入するように形成され、その陥入した部分（陥入部分）によって、前記取出口の中央に向かって突出するフラップが形成されるように構成した衛生用紙収納用カートン。
【００１３】
［２］  前記陥入部分が、前記スリットの形成方向に向かって陥入するように形成されている前記［１］に記載の衛生用紙収納用カートン。
【００１４】
［３］  前記取出口の中央に向かって陥入を始める２つの起点を結ぶように形成される折曲線と前記陥入部分とにより包囲された部分によって前記フラップが形成されるように構成されている前記［１］又は［２］に記載の衛生用紙収納用カートン。
【００１５】
［４］  前記陥入部分は、一方の前記妻面から他方の前記妻面に向かって陥入するように形成されている前記［１］〜［３］のいずれかに記載の衛生用紙収納用カートン。
【００１６】
［５］  前記環状の切込線が、前記取出口形成面上に２つ形成されている前記［１］〜［４］のいずれかに記載の衛生用紙収納用カートン。
【００１７】
［６］  前記フラップの面積が、前記取出口の面積の１０〜８０面積％である前記［１］〜［５］のいずれかに記載の衛生用紙収納用カートン。
【発明の効果】
【００１８】
本発明の衛生用紙収納用カートンは、横置き、縦置き等がされた場合であっても、引き出された衛生用紙がカートン内部に落ち込むことを効果的に防止することができる。また、取出口が形成される面の空きスペースが広いため、このスペースの有効な利用ができる。
【発明を実施するための最良の形態】
【００１９】
以下、本発明を実施するための最良の形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００２０】
［１］衛生用紙収納用カートン：
本発明の衛生用紙収納用カートンは、例えば、図１に示す衛生用紙収納用カートン１のように、上面、底面、一対の側面、及び一対の妻面を有する形状に折り曲げられ、これらの面によって区画された、衛生用紙を収納し得る内部空間が形成された略直方体の箱状をなすとともに、前記衛生用紙の取出口を形成するための取出口形成用切込線が形成されたカートン本体と、前記取出口を前記カートン本体の内側から被覆するように配置され、前記衛生用紙を取り出すためのスリットが形成されたウインドウフィルムと、を備えた衛生用紙収納用カートンであって、前記取出口形成用切込線は、その少なくとも１つが、前記取出口の外周形状と一致する環状に形成され、その環状の切込線がカートンの取出口形成面における一方の妻面側に偏った位置に配置されるとともに、前記環状の切込線の一部が前記取出口の中央に向かって陥入するように形成され、その陥入した部分によって、前記取出口の中央に向かって突出するフラップが形成されるように構成したものである。
【００２１】
［１−１］取出口形成用切込線：
「取出口形成用切込線」は、衛生用紙の取出口を形成するために設けられた切込線であり、その少なくとも１つが、前記取出口の外周形状と一致する環状に形成され、その環状の切込線がカートンの取出口形成面における一方の妻面側に偏った位置に配置されるとともに、前記環状の切込線の一部が前記取出口の中央に向かって陥入するように形成され、その陥入した部分（陥入部分）によって、前記取出口の中央に向かって突出するフラップが形成されるように構成したものであることが必要である。このような構成により、使用者は、この切込線を破断することによって取出口を形成することができ、その取出口から衛生用紙を取り出すことが可能となる。
【００２２】
取出口形成用切込線は、取出口の外周形状と一致する環状に形成されることが必要である。この取出口形成用切込線は、取出口の外周形状と一致する環状に形成される限り特に制限はない。ここにいう「環状」とは、ある領域を区画するように、いくつかの線（切り込み）が連続的に結ばれた形状を意味する。また、カートン本体として直方体状のものが多く用いられるため、その取出口の形状はカートン本体の長手方向に沿った横長の環状とすることが好ましい。従って、取出口の外周形状としては、例えば、略半楕円形状（略Ｕ字状）、半円形状、略長方形状、略長円形状、略長楕円形状、菱形状、又は多角形状等の形状を挙げることができる。例えば、図１に示す衛生用紙収納用カートン１は、取出口の外周形状と一致するように略長楕円形状の取出口形成用切込線１４を形成した例である。
【００２３】
上記環状の切込線は、その一部が前記取出口の中央に向かって陥入するように形成され、その陥入した部分（陥入部分）によって、前記取出口の中央に向かって突出するフラップが形成されるように構成されることが必要である。この陥入部分は、このように構成される限り特に制限はなく、例えば、略半楕円形状（略Ｕ字状）、半円形状、略半長円形状、半長楕円形状、略長方形状、又は多角形状等の形状を挙げることができる。例えば、図１に示す衛生用紙収納用カートン１は、略長楕円形状の取出口形成用切込線１４の一部が取出口の中央に向かって陥入するように形成され、その陥入した部分（陥入部分１５）によって、取出口の中央に向かって突出するフラップ１７が略半楕円形状に形成されるように構成された例である。
【００２４】
但し、本発明の衛生用紙収納用カートンは、陥入部分が、ウインドウフィルムのスリットの形成方向に向かって陥入するように形成されていることが好ましい。即ち、上記環状の切込線を破断することによって取出口を形成することにより、形成されるフラップは、スリットの形成方向に向かって突出するように形成されることが好ましい。このような構成により、衛生用紙がスリットを通して引き出された後、スリットとの摩擦力だけでは十分に保持されなくなり、衛生用紙がカートン内部に落ち込もうとする場合に、フラップが更に衛生用紙との間に摩擦力を生じさせる。即ち、フラップが衛生用紙に対して、くさびの役割を果たして衛生用紙がカートン内へ落下することを防止することができる。例えば、図１に示す衛生用紙収納用カートン１は、スリット１８の形成方向（即ち、衛生用紙収納用カートン１の長辺方向）に向かって陥入するように陥入部分１５が形成されている例である。
【００２５】
上記環状の切込線は、カートンの取出口形成面における一方の妻面側に偏った位置に配置されることが必要である。そのように配置される限り、その数及び位置に特に制限はない。このような構成により、カートンの一方の妻面を下にして（縦置き）、カートンを配置した場合であっても、カートンから衛生用紙を容易に引き出すことができるという利点がある。また、従来の衛生用紙収納用カートンと比べて、斬新な印象を与えるので、消費者の購買意欲が高められるという利点もある。更に、取出口形成面の空きスペースが広くなるため、このスペースの有効な利用ができるという利点もある。空きスペースの用途としては、例えば、文字や絵等を印刷すること等が挙げられる。例えば、図１に示す衛生用紙収納用カートン１は、１つの略半楕円形状の取出口形成用切込線１４が、上面２における一方の妻面８ａ側に偏った位置に配置される例である。
【００２６】
また、環状の切込線は、上面及び／又は底面に形成することができる。例えば、図１に示す衛生用紙収納用カートン１は、上面２に環状の切込線１４を形成した例である。なお、上面及び／又は底面に環状の切込線を形成した場合、これら上面及び底面の間に、一部が折り重ねられた積層状の衛生用紙を配置すると、取出口からカートン内の衛生用紙を連続的に引き出すことができる。
【００２７】
また、「一方の妻面側に偏った位置に配置される」とは、環状の切込線によって包囲された部分（切取片となる部分）の重心が、カートンの取出口形成面の重心から、一方の妻面側にずれた位置に配置されることを意味する。
【００２８】
更に、陥入部分は、その取出口の中央に向かって陥入する方向が、一方の妻面から他方の妻面に向かう方向に沿って形成されていることが好ましい。このような構成により、特に、衛生用紙収納用カートンを縦置きしてフラップの突出方向を上方に向けた場合に、フラップがくさびの役割を果たして衛生用紙がカートン内へ落下することをより効果的に防止することができる。
【００２９】
例えば、図１に示す衛生用紙収納用カートン１は、１つの略長楕円状の取出口形成用切込線１４が、上面２における一方の妻面８ａ側に偏った位置に配置されるとともに、陥入部分１５は、一方の妻面８ｂから他方の妻面８ａに向かって陥入するように形成されている例である。このような構成により、衛生用紙収納用カートンを縦置きした場合に効果的にフラップがくさびの役割を果たすため、衛生用紙がカートン内へ落下することを効果的に防止することができる。
【００３０】
また、図４に示す衛生用紙収納用カートン１２０、及び図５に示す衛生用紙収納用カートン１３０は、１つの略長楕円状の取出口形成用切込線１４が、上面２における一方の妻面８ａ側に偏った位置に配置されるとともに、陥入部分１５は、一方の妻面８ａから他方の妻面８ｂに向かう方向に形成されている例である。このような構成により、例えば、妻面８ａが下になるように縦置きしたカートンを頭上等の高い位置に配置した場合には、衛生用紙を容易に引き出すことができ、更に、衛生用紙がカートン内に落ち込むことを防止することができる。
【００３１】
更に、衛生用紙収納用カートンが直方体状である場合に、上記陥入部分が、カートンの長辺方向に沿って陥入するように形成され、かつ、ウインドウフィルムのスリットがカートンの長辺方向に沿って形成されていることが好ましい。即ち、陥入部分の陥入方向とスリットの形成方向を一致させることが好ましい。このような構成により、衛生用紙がカートン内へ落下することを更に効果的に防止することができる。即ち、カートンを縦置きした場合に、スリットの形成方向が鉛直方向と一致することによって、スリットによる衛生用紙の保持力が不足しても、陥入部分が効果的にくさびの役割を果たすことができる。
【００３２】
例えば、図１に示す衛生用紙収納用カートン１は、直方体状のカートンであり、陥入部分１５が、衛生用紙収納用カートン１の長辺方向に向かって陥入するように形成され、かつ、ウインドウフィルム２０のスリット１８が衛生用紙収納用カートン１の長辺方向に沿って形成されている例である。
【００３３】
ところで、特許文献２〜４に記載のカートンは、いわゆるフィルムレスカートンであり、このフィルムレスカートンには、その長方形状の取出口の長辺から、取出口に突出するフラップ様の部分が形成されている。このフラップ様の部分は、フィルムレスカートンの取出口を上に向けて置く（平置きする）場合には、衛生用紙を保持する役割を果たすことができるものである。しかし、例えば、上記カートンを縦置きした場合には、カートンから引き出された衛生用紙は、上記フラップ様の部分に何ら係り止られることないため、カートン内に落ち込んでしまう。一方、本発明の衛生用紙収納用カートンは、平置きされた場合にはもちろんのこと、例えば、縦置きされた場合であっても、フラップにより、引き出された衛生用紙がカートン内に落ち込んでしまうことを防止することができる。更に、陥入部分がウインドウフィルムのスリットの形成方向に向かって陥入するように形成されているため、衛生用紙との摩擦力によって、この衛生用紙を保持するスリットと相俟って、衛生用紙がカートン内に落ち込んでしまうことを効果的に防止することができる。
【００３４】
本発明の衛生用紙収納用カートンは、取出口の中央に向かって陥入を始める２つの起点を結ぶように形成される折曲線と陥入部分とにより包囲された部分によってフラップが形成されるように構成されていることが好ましい。このような構成により、取出口を形成した後、折曲線に沿ってフラップを上方に折り曲げておくと、衛生用紙がカートン内に落ち込むことをより効果的に防止することができる。なお、上記折曲線（「押し罫」とも称される）は、例えば、所望の位置にプレス成形等により形成することができる。上記カートンが直方体である場合、上記折曲線は、このカートンの短辺方向に沿って形成されることが好ましい。
【００３５】
例えば、図１に示す衛生用紙収納用カートン１は、陥入部分１５が取出口の中央に向かって陥入を始める起点（陥入起点）ａ、ｂを結ぶように形成される折曲線１９と陥入部分１５とにより包囲された部分によってフラップ１７が形成されるように構成されている例である。この例において、この折曲線１９は、衛生用紙収納用カートン１の長辺に沿う方向に形成されたスリット１８に直交するように形成されている。即ち、衛生用紙収納用カートン１の短辺に沿う方向に形成されている。
【００３６】
フラップの面積は、取出口の面積の１０〜８０面積％であることが好ましく、更に好ましくは、２０〜７０面積％であり、特に好ましくは、３０〜６０面積％である。フラップの面積が、取出口の面積の１０面積％未満であると、くさびの役割を果たすフラップが小さすぎ、衛生用紙がカートン内へ落下することを防止することが困難になるおそれがある。一方、取出口の面積の８０面積％超であると、フラップが大きすぎ、衛生用紙をカートンから引き出し難くなるおそれがある。例えば、図１に示す衛生用紙収納用カートン１は、フラップ１７の面積が取出口の面積の２５面積％である例である。また、図３に示す衛生用紙収納用カートン１１０は、フラップ１７の面積が取出口の面積の１７面積％である例である。
【００３７】
衛生用紙収納用カートンが直方体状である場合に、取出口の、衛生用紙収納用カートンの長辺方向の最大長さは、カートンの長辺の長さに対する比率が、２５〜７０％であることが好ましく、３５〜６０％であることが更に好ましい。上記最大長さが、２５％未満であると、取出口が小さくなりすぎ、衛生用紙を取り出すことが困難になるおそれがある。一方、７０％超であると、取出口が大きくなりすぎ、衛生用紙がカートン内に落ち込み易くなるおそれがある。なお、「取出口の、衛生用紙収納用カートンの長辺方向の最大長さ」とは、衛生用紙収納用カートンが直方体状である場合に、一方の妻面に最も近い環状の切込線上の点を通り、直方体状の衛生用紙収納用カートンの短辺に平行な直線と、他方の妻面に最も近い環状の切込線上の点を通り、直方体状の衛生用紙収納用カートンの短辺に平行な直線との距離を意味する。
【００３８】
例えば、図９に示す衛生用紙収納用カートン１７０は、一方の妻面８ａに最も近い取出口形成用切込線１４上の点（取出口最大長さ端点）ｃを通り、直方体状の衛生用紙収納用カートン１７０の短辺に平行な直線Ｘ１と、他方の妻面８ｂに最も近い取出口形成用切込線１４上の点（取出口最大長さ端点）ｄを通り、直方体状の衛生用紙収納用カートンの短辺に平行な直線Ｘ２との距離を取出口の衛生用紙収納用カートンの長辺方向の最大長さＬ１として、この最大長さＬ１における衛生用紙収納用カートン１の長辺の長さＬ２に対する比率が３５％となる例である。
【００３９】
衛生用紙収納用カートンが直方体状である場合に、取出口の、衛生用紙収納用カートンの短辺方向の最大長さは、衛生用紙収納用カートンの短辺の長さに対する比率が、２０〜８０％であることが好ましく、３０〜７０％であることが更に好ましい。上記最大長さが、２０％未満であると、取出口が小さくなりすぎ、衛生用紙を取り出すことが困難になるおそれがある。一方、８０％超であると、取出口が大きくなりすぎ、衛生用紙がカートン内に落ち込み易くなるおそれがある。なお、「取出口の衛生用紙収納用カートンの短辺方向の最大長さ」とは、衛生用紙収納用カートンが直方体状である場合に、一方の側面に最も近い環状の切込線上の点を通り、直方体状の衛生用紙収納用カートンの長辺に平行な直線と、他方の側面に最も近い環状の切込線上の点を通り、直方体状の衛生用紙収納用カートンの長辺に平行な直線との距離を意味する。
【００４０】
例えば、図９に示す衛生用紙収納用カートン１７０は、一方の側面６に最も近い取出口形成用切込線１４上の点（取出口最大長さ端点）ｉを通り、直方体状の衛生用紙収納用カートン１７０の長辺に平行な直線Ｘ３と、他方の側面６に最も近い取出口形成用切込線１４上の点（取出口最大長さ端点）ｊを通り、直方体状の衛生用紙収納用カートンの長辺に平行な直線Ｘ４との距離を取出口の衛生用紙収納用カートンの短辺方向の最大長さＬ４として、この最大長さＬ４における衛生用紙収納用カートン１の短辺の長さＬ５に対する比率が６０％となる例である。
【００４１】
また、衛生用紙収納用カートンが直方体状である場合に、フラップの、衛生用紙収納用カートンの長辺方向の最大長さは、上述した、取出口の、衛生用紙収納用カートンの長辺方向の最大長さに対する比率が、１０〜６０％であることが好ましく、２０〜５０％であることが更に好ましい。上記最大長さが、１０％未満であると、くさびの役割を果たすフラップが小さすぎ、衛生用紙がカートン内へ落下することを防止することが困難になるおそれがある。一方、６０％超であると、フラップが大きくなりすぎ、衛生用紙が取り出し難くなるおそれがある。なお、「フラップの衛生用紙収納用カートンの長辺方向の最大長さ」とは、衛生用紙収納用カートンが直方体状である場合に、一方の妻面に最も近い陥入部分上の点を通り、直方体状の衛生用紙収納用カートンの短辺に平行な直線と、他方の妻面に最も近い陥入部分上の点を通り、直方体状の衛生用紙収納用カートンの短辺に平行な直線との距離を意味する。
【００４２】
例えば、図９に示す衛生用紙収納用カートン１７０は、一方の妻面８ａに最も近い陥入部分１５上の点（フラップ最大長さ端点）ｅを通り、直方体状の衛生用紙収納用カートン１７０の短辺に平行な直線Ｘ５と、他方の妻面８ｂに最も近い陥入部分１５上の点（フラップ最大長さ端点）ｆを通り、直方体状の衛生用紙収納用カートンの短辺に平行な直線Ｘ６との距離をフラップの衛生用紙収納用カートンの長辺方向の最大長さＬ３として、この最大長さＬ３における取出口の衛生用紙収納用カートンの長辺方向の最大長さＬ１に対する比率が２５％となる例である。
【００４３】
上記環状の切込線は、取出口形成面上に２つ形成されていてもよい。２つ形成することにより、本発明の衛生用紙収納用カートンの置き方の自由度が更に増すという利点がある。即ち、例えば、衛生用紙収納用カートンを縦置きした場合に、一対の妻面のうちいずれを底面とすることも可能となる。
【００４４】
なお、２つの環状の切込線を形成した衛生用紙収納用カートンには、各取出口に対応するように２つの衛生用紙の積層体を収納してもよいし、１つの衛生用紙の積層体を収納していずれの取出口からでも衛生用紙を引き出せるようにしてもよい。
【００４５】
例えば、２つの環状の切込線を形成した衛生用紙収納用カートンとしては、図６に示す衛生用紙収納用カートン１４０のように、一の略長楕円状の取出口形成用切込線１４が、上面２における一方の妻面８ａ側に偏った位置に配置されるとともに、陥入部分１５が妻面８ｂから妻面８ａの方向に陥入するように形成され、その陥入した部分によって、妻面８ａから妻面８ａの方向に向かって突出するフラップ１７が形成されるように構成し、更に、別の略長楕円状の取出口形成用切込線１４が、上面２における他方の妻面８ｂ側に偏った位置に配置されるとともに、陥入部分１５が妻面８ａから妻面８ｂの方向に陥入するように形成され、その陥入した部分によって、妻面８ａから妻面８ｂの方向に向かって突出するフラップ１７が形成されるように構成した例である。このような構成により、いずれの妻面８ａ、８ｂを下にして使用することも可能であるため、衛生用紙収納用カートンの置き方の自由度が更に増すという利点がある。
【００４６】
別の態様としては、例えば、図７に示す衛生用紙収納用カートン１５０のように、一の略長楕円状の取出口形成用切込線１４が、上面２における一方の妻面８ａ側に偏った位置に配置されるとともに、陥入部分１５が妻面８ａから妻面８ｂの方向に陥入するように形成され、その陥入した部分によって、妻面８ａから妻面８ｂの方向に向かって突出するフラップ１７が形成されるように構成し、更に、別の略長楕円状の取出口形成用切込線１４が、上面２における他方の妻面８ｂ側に偏った位置に配置されるとともに、陥入部分１５が妻面８ｂから妻面８ａの方向に陥入するように形成され、その陥入した部分によって、妻面８ｂから妻面８ａの方向に向かって突出するフラップ１７が形成されるように構成した例である。
【００４７】
更に別の態様としては、例えば、図８に示す衛生用紙収納用カートン１６０のように、一の略長楕円状の取出口形成用切込線１４が、上面２における一方の妻面８ａ側に偏った位置に配置されるとともに、陥入部分１５が妻面８ｂから妻面８ａの方向に陥入するように形成され、その陥入した部分によって、妻面８ｂから妻面８ａの方向に向かって突出するフラップ１７が形成されるように構成し、更に、別の略長楕円状の取出口形成用切込線１４が、上面２における他方の妻面８ｂ側に偏った位置に配置されるとともに、陥入部分１５が妻面８ｂから妻面８ａの方向に陥入するように形成され、その陥入した部分によって、妻面８ｂから妻面８ａの方向に向かって突出するフラップ１７が形成されるように構成した例である。
【００４８】
なお、取出口形成用切込線は、通常、図１に示す衛生用紙収納用カートン１のように、カートン本体１６の上面２に形成されることが多いが、特にそのような制限があるわけではない。例えば、カートン本体の底面に形成されていてもよい。また、取出口形成用切込線は一の面のみに形成されていなければならないわけではなく、二以上の面（例えば、上面と底面）に形成されていてもよい。
【００４９】
更に、取出口形成用切込線によって包囲された部分（切取片となる部分）には、取出口形成用切込線上の二点を繋ぎ、切取片となる部分を２つに分割するための引剥がし用切込線が形成されていてもよい。このような切込線を形成することで、切取片の引き剥がしが容易となる利点がある。
【００５０】
例えば、図１に示す衛生用紙収納用カートン１は、取出口形成用切込線１４上の二点（引剥がし用切込線端点）ｇ、ｈを繋ぎ、略長楕円形状の取出口形成用切込線１４によって包囲された部分（切取片となる部分）を中央部付近で２つに分割するための引剥がし用切込線５２が形成された例である。
【００５１】
上記の取出口用切込線、引剥がし用切込線は、直線状の切れ目（スリット）であってもよいし、部分的につながりを有するミシン目状のものであってもよい。また、包装業界でジッパーと呼称されている切れ目が鉤形に屈曲した開封用破断線（包装産業の周知・慣用技術集第２８１頁参照、昭和５３年１２月２０日特許庁発行）や、２重線のミシン目であってもよい。
【００５２】
また、本発明の衛生用紙収納用カートンにおいて、この衛生用紙収納用カートンの上面に取出口用切込線を形成した場合には、底面に一対の押上片を形成するための押上片形成用切込線を形成することも好ましい形態の一つである。カートン本体に収納された衛生用紙の残量が少なくなった際に、底面に形成された押上片形成用切込線を押圧して押し破り、カートン本体の内側に折り曲げることによって、一対の押上片を形成する。この押上片によって、カートン本体内部の衛生用紙が上面側に押し上げられるため、上面の取出口から衛生用紙の最後の一枚まで、安定してポップアップさせることが可能である。例えば、図２に示すカートンブランク１００は、上面２となる面に取出口用切込線１４が形成され、底面４となる面の中央部にＵ字状の押上片形成用切込線５４が１対形成された例である。
【００５３】
［１−２］カートン本体：
「カートン本体」とは、上面、底面、一対の側面、及び一対の妻面を有する形状に折り曲げられ、これらの面によって区画された、衛生用紙を収納し得る内部空間が形成された箱状をなすとともに、衛生用紙の取出口の外周形状と一致するように取出口形成用切込線が形成された箱体である。
【００５４】
［１−２Ａ］箱状：
「箱状」とは、上面、底面、一対の側面、及び一対の妻面を有する形状に折り曲げられ、これらの面によって区画された、衛生用紙を収納し得る内部空間が形成される形状である。このような形状としては、例えば、直方体状、立方体状等の六面体状を挙げることができる。これらの形状では、上面と底面、一の側面と他の側面、一の妻面と他の妻面が対向するように平行に配置される。これらの形状の中では、直方体状が好ましい。例えば、図１に示す衛生用紙収納用カートン１は、カートン本体１６の側面６側を長辺、一対の妻面８ａ、８ｂ側を短辺とする直方体状にカートン本体１６を構成した例である。なお、これらの形状において、２つの面の稜線部分を面取りしたものも、本明細書にいう「箱状」に含まれる。
【００５５】
「カートン本体」は、例えば、紙材料等からなるカートンブランクを折り曲げることによって、上面、底面、一対の側面、及び一対の妻面を有する形状に形成される。図２に示すカートンブランク１００は、一枚の紙材料によって、折曲線を介して上面２、底面４、一対の側面６が形成されており、側面６の端縁からは、折曲線を介して内フラップ２６が延出されている。
【００５６】
また、上面２の端縁からは、折曲線を介して上面外フラップ２８が延出されており、これと同様に、底面４の端縁からは、折曲線を介して底面外フラップ３０が延出されている。更に、底面４の一の側縁部からは、折曲線を介して、側面接合代３２が延出されており、底面外フラップ３０の先端には上面外フラップ２８との接合代である妻面接合代３４が付設されている。このようなカートンブランク１００は、各折曲線を折り曲げ、側面接合代３２と側面６を接合した後、妻面接合代３４と上面外フラップ２８を接合することで、一対の妻面８ａ、８ｂを形成することができる。こうすることにより、カートンブランク１００を、図１に示すような衛生用紙収納用カートン１とすることができる。
【００５７】
本発明の衛生用紙収納用カートンは、上面、底面、一対の側面、及び一対の妻面によって区画された内部空間が形成される。この内部空間は、衛生用紙を収納するための空間である。この内部空間に収納する衛生用紙の種類について特に制限はなく、例えば、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙（例えば、紙パルプ技術便覧第５版、第４５９頁参照、１９９２年１月３０日発行、紙パルプ技術協会編集・発行）等を挙げることができる。
【００５８】
中でも、一の衛生用紙が折り畳まれ、その折り返し部分に他の衛生用紙が挟み込まれた状態で折り畳まれることによって、複数枚の衛生用紙が連続的に積層された衛生用紙束を前記内部空間に収納することが好ましい。このような積層構造の衛生用紙は、最上層の衛生用紙を取り出すことにより、これに挟み込まれていた次層の衛生用紙の一部が取出口から突出し、衛生用紙の取り出しが容易なものとなる利点がある（いわゆるポップアップ方式）。
【００５９】
本発明の衛生用紙収納用カートンを構成する材質について特に制限はない。但し、箱体を折り曲げ形成する都合上、厚紙等の紙材料を構成材料とすることが好ましい。一般に、これらの紙材料としては、例えば、木材パルプ、古紙等を原料として製造されたものを好適に用いることができる。
【００６０】
［１−３］ウインドウフィルム：
「ウインドウフィルム」とは、取出口をカートン本体の内側から被覆するように配置され、衛生用紙を取り出すためのスリットが形成されたフィルム材である。取出口の内側からウインドウフィルムを貼り付けると、外部の塵や異物から衛生用紙を保護することができる。また、衛生用紙を外部に取り出す際に、ウインドウフィルムに形成されたスリット間の摩擦により、ポップアップした衛生用紙がカートンの内部に落ち込むことが防止され、衛生用紙を取出口から突出させた状態で保持することが可能となる。
【００６１】
［１−３Ａ］フィルム：
「フィルム」とは薄膜状の部材である。その構成材料は特に制限されないが、例えば、ポリエチレン、ポリプロピレン、ポリ塩化ビニル、ポリエステル、ポリビニルアルコール等のプラスチック；グラシン紙、クラフト紙、ケント紙、インディア紙等の印刷用紙、書道用紙、包装紙、加工原紙等の紙；等を好適に用いることができる。また、上記プラスチックとしては、生分解性プラスチックを用いてもよい。
【００６２】
上記フィルムには、透明フィルム、半透明フィルム、不透明フィルム、着色フィルムのいずれもが含まれる。また、文字や模様等が印刷されたフィルムであってもよい。フィルムの形状は、カートン本体の取出口を被覆することができる限りにおいて、どのような形状のものであってもよい。但し、取出口の形状として横長形状のものが汎用されることから、図１に示す衛生用紙収納用カートン１のように、長方形状のフィルムを用いることが好ましい。
【００６３】
［１−３Ｂ］スリット：
「スリット」とは、ウインドウフィルムを貫通する切れ目である。衛生用紙収納用カートン内に収納されたティシュペーパーをはじめとする衛生用紙は、このスリットを通してカートンの外部へ引き出される。スリットの形成方向としては、特に制限はないが、本発明の衛生用紙収納用カートンの長辺に沿う方向に形成されることが好ましい。例えば、図１に示す衛生用紙収納用カートン１は、ウインドウフィルム２０の中央部に、衛生用紙収納用カートン１の長辺に沿って直線状のスリット１８を形成した例である。
【００６４】
本発明の衛生用紙収納用カートンにおいて、ウインドウフィルムのスリットは、その形成方向が陥入部分の陥入する方向と同一方向に形成されていることが好ましい。このような構成により、衛生用紙がスリットを通して引き出された後、スリットとの摩擦力だけでは十分に保持されなくなり、衛生用紙がカートン内部に落ち込もうとする場合に、フラップが更に衛生用紙との間に摩擦力を生じさせる。即ち、フラップが衛生用紙に対して、くさびの役割を果たして衛生用紙がカートン内へ落下することを防止することができる。例えば、図１に示す衛生用紙収納用カートン１は、スリット１８が、陥入部分１５の陥入する方向（フラップが突出する方向）に形成されている例である。
【００６５】
［２］製造方法：
本発明の衛生用紙収納用カートンは、例えば、以下の製造方法によって製造することができる。まず、取出口形成用切込線が形成されていないカートンブランクを用意する。次に、このカートンブランクのうち、上面における一方の妻面側に偏った位置に、取出口の外周形状と一致する環状に形成され、その一部が取出口の中央に向かって陥入した形状の取出口形成用切込線を形成する。続いて、この取出口形成用切込線を包囲する位置に、予めスリットが形成されたウインドウフィルムを配置して貼り付ける。
【００６６】
その後、カートンブランクを折曲線に沿って折り曲げ、側面と底面の側面接合代とが重ね合わせ、その重なり部分を接着剤によって接着することによって妻面側が開放された角筒状とする。次いで、角筒状のカートンブランクの内部空間に衛生用紙が積層された精製用紙束を装填する。更に、一対の内フラップを折曲線に沿って折り曲げた後、上面外フラップと底面外フラップをその一部が互いに重なり合うように折り曲げ、その重なり部分を接着剤等によって接着することによって、一対の妻面を形成する。このようにして、本発明の衛生用紙収納用カートンを製造することができる。
【産業上の利用可能性】
【００６７】
本発明の衛生用紙収納用カートンは、ティシュペーパー、キッチンペーパー等のペーパータオル、シート状のトイレットペーパー、ワッティング（紙綿）等の衛生用紙を収納するためのカートンとして、好適に用いることができる。
【図面の簡単な説明】
【００６８】
【図１】本発明の衛生用紙収納用カートンの第一の実施形態を示す斜視図である。
【図２】本発明の衛生用紙収納用カートンの第一の実施形態の一例を示す図であり、衛生用紙収納用カートンを組み立てる前のカートンブランクの状態の展開図である。
【図３】本発明の衛生用紙収納用カートンの第二の実施形態を示す一部平面図であり、カートンの上面を示す図である。
【図４】本発明の衛生用紙収納用カートンの第三の実施形態を示す一部平面図であり、カートンの上面を示す図である。
【図５】本発明の衛生用紙収納用カートンの第四の実施形態を示す一部平面図であり、カートンの上面を示す図である。
【図６】本発明の衛生用紙収納用カートンの第五の実施形態を示す一部平面図であり、カートンの上面を示す図である。
【図７】本発明の衛生用紙収納用カートンの第六の実施形態を示す一部平面図であり、カートンの上面を示す図である。
【図８】本発明の衛生用紙収納用カートンの第七の実施形態を示す一部平面図であり、カートンの上面を示す図である。
【図９】図１に示す衛生用紙収納用カートンの一部平面図であり、カートンの上面を示す図である。
【符号の説明】
【００６９】
１，１１０，１２０，１３０，１４０，１５０，１６０，１７０：衛生用紙収納用カートン、２：上面、４：底面、６：側面、８，８ａ，８ｂ：妻面、１４：取出口形成用切込線、１５：取出口形成用切込線の一部（陥入部分）、１６：カートン本体、１７：フラップ、１８：スリット、１９：折曲線、２０：ウインドウフィルム、２６：内フラップ、２８：上面外フラップ、３０：底面外フラップ、３２：側面接合代、３４：妻面接合代、５２：引剥がし用切込線、５４：押上片形成用切込線、１００：カートンブランク、ａ，ｂ：陥入起点、ｃ，ｄ：取出口最大長さ端点、ｅ，ｆ：フラップ最大長さ端点、ｇ，ｈ：引剥がし用切込線端点、Ｘ１，Ｘ２，Ｘ３，Ｘ４，Ｘ５，Ｘ６：直線。
【図１】
2007297079.tif 000003
【図２】
2007297079.tif 000004
【図３】
2007297079.tif 000005
【図４】
2007297079.tif 000006
【図５】
2007297079.tif 000007
【図６】
2007297079.tif 000008
【図７】
2007297079.tif 000009
【図８】
2007297079.tif 000010
【図９】
2007297079.tif 000011